(57)【特許請求の範囲】
【請求項１】
地上で送信されてくるＡＭ放送用電波を受信する受信アンテナと、この受信アンテナからの受信信号を同調回路で選択して、同じ周波数で再送信する再送信装置と、この再送信装置に整合器を介して接続されて地下街に配設され、再送信装置からの送信信号を電波として発信する電波発信ケーブルとから成る地下街用ＡＭ放送再送信システムにおいて、前記電波発信ケーブルを電磁誘導によって電波を発信する誘導ケーブルとし、前記地下街に導電性の吊線を有する光ケーブルを配設して、この光ケーブルの導電性の吊線を、前記整合器を介して前記再送信装置に接続し、前記電波を発信する誘導ケーブルとしたことを特徴とする地下街用ＡＭ放送再送信システム。
【発明の詳細な説明】
【技術分野】
【０００１】
本発明は、地下街でＡＭ放送を受信可能とする地下街用ＡＭ放送再送信システムに関する。
【背景技術】
【０００２】
地下街やトンネル内等では、ＡＭ放送用電波（５６０ｋＨｚ〜１７００ｋＨｚ）の入感状況が悪いので、地上の受信アンテナで受信した電波の受信信号を同調回路で選択して、同じ周波数で再送信する再送信装置を設け、この再送信装置に整合器を介して接続した電波発信ケーブルを地下街やトンネル内の天井等に配設して、電波発信ケーブルからＡＭ放送用の電波を発信するＡＭ放送再送信システムが採用されている（例えば、特許文献１参照）。電波発信ケーブルには、電磁誘導によって電波を発信する誘導ケーブルと、同軸ケーブルから電波を漏洩させるように発信する漏洩同軸ケーブルとがある。漏洩同軸ケーブルを用いる場合は、ＦＭ放送やＴＶ（テレビジョン）放送等の電波も発信させることがある。
【０００３】
一方、近年、インターネット通信や地上ディジタル放送等の普及によって、地下街でもこれらの通信、放送用の光ケーブルや同軸ケーブルが配設されるようになっている。光ケーブルを採用する場合は、その素線となる光ファイバがガラス等の脆い材料で形成されているので、光ファイバと平行に被覆材で被覆された吊線を有するものを用い、この吊線で光ケーブルを天井等に架設することが多い（例えば、特許文献２参照）。
【０００４】
【特許文献１】特開平８−８８６０９号公報（図９）
【特許文献２】特開平１０−６８８４９号公報（図２、図４）
【発明の開示】
【発明が解決しようとする課題】
【０００５】
特許文献１に記載されたようなＡＭ放送再送信システムに用いられる電波発信ケーブルのうち、誘導ケーブルは漏洩同軸ケーブルよりも安価であるが、ＡＭ放送用に単独で誘導線を配設する必要があるので、通信、放送用の他のケーブルが配設される地下街では、地下街全体の通信、放送用システムの施工を考えると、施工コストが余分にかかる問題がある。
【０００６】
そこで、本発明の課題は、地下街用ＡＭ放送再送信システムを余分な施工コストを節約して安価に構築できるようにすることである。
【課題を解決するための手段】
【０００７】
上記の課題を解決するために、本発明は、地上で送信されてくるＡＭ放送用電波を受信する受信アンテナと、この受信アンテナからの受信信号を同調回路で選択して、同じ周波数で再送信する再送信装置と、この再送信装置に整合器を介して接続されて地下街に配設され、再送信装置からの送信信号を電波として発信する電波発信ケーブルとから成る地下街用ＡＭ放送再送信システムにおいて、前記電波発信ケーブルを電磁誘導によって電波を発信する誘導ケーブルとし、前記地下街に導電性の吊線を有する光ケーブルを配設して、この光ケーブルの導電性の吊線を、前記整合器を介して前記再送信装置に接続し、前記電波を発信する誘導ケーブルとした構成を採用した。
【０００８】
すなわち、電波発信ケーブルを電磁誘導によって電波を発信する誘導ケーブルとし、地下街に導電性の吊線を有する光ケーブルを配設して、この光ケーブルの導電性の吊線を、整合器を介して再送信装置に接続し、電波を発信する誘導ケーブルとすることにより、地下街に架設される光ケーブルの吊線をＡＭ放送用の電波発信ケーブルに使用し、地下街用ＡＭ放送再送信システムを余分な施工コストを節約して安価に構築できるようにした。なお、光ケーブル内を伝送される光信号は電波（電磁波）の影響を受けないので、誘導ケーブルから発信される電波が外乱となることはない。
【発明の効果】
【０００９】
本発明の地下街用ＡＭ放送再送信システムは、電波発信ケーブルを電磁誘導によって電波を発信する誘導ケーブルとし、地下街に導電性の吊線を有する光ケーブルを配設して、この光ケーブルの導電性の吊線を、整合器を介して再送信装置に接続し、電波を発信する誘導ケーブルとしたので、地下街に架設される光ケーブルの吊線をＡＭ放送用の電波発信ケーブルに使用して、余分な施工コストを節約して安価に構築することができる。
【発明を実施するための最良の形態】
【００１０】
以下、図面に基づき、本発明の実施形態を説明する。この地下街用ＡＭ放送再送信システムは、図１に示すように、地上で送信されてくるＡＭ放送用電波を受信するＡＭ受信アンテナ１と、同軸ケーブル２で接続されたＡＭ受信アンテナ１からの受信信号を同調回路で選択して、同じ周波数で再送信する再送信装置３と、再送信装置３に整合器４を介して接続された電波発信ケーブルとしての誘導ケーブル５とから成る。受信アンテナ１は地下街に隣接するビル屋上に、再送信装置３はビル内の受変電室に設置されており、整合器４に接続された誘導ケーブル５は、２本のものが３０ｃｍ以上の間隔で地下街に配設され、終端が終端抵抗器６に接続されている。
【００１１】
この地下街は、地上ディジタル放送とＦＭ放送も受信できるように、地上ディジタル放送用のＵＨＦ受信アンテナ１１ａとＦＭ放送用のＦＭ受信アンテナ１１ｂもビル屋上に設置され、これらの受信アンテナ１１ａ、１１ｂと同軸ケーブル１２で接続された地上ディジタル放送用とＦＭ放送用の再送信装置１３ａ、１３ｂがビル内の受変電室に設置されており、これらの再送信装置１３ａ、１３ｂからの送信信号が光変調装置１４で光信号に変換されて、地下街に配設された光ケーブル１５に伝送されるようになっている。光ケーブル１５で伝送された光信号は、地下街の各所に設けられた地上ディジタル放送用とＦＭ放送用のアンテナ１６ａ、１６ｂから地下街に発信される。
【００１２】
前記光ケーブル１５は、図２（ａ）に示すように、複数の光ファイバ１５ａを樹脂等の被覆材１７で被覆するとともに、これらの光ファイバ１５ａと平行に、導電性の金属線で形成された吊線１８を被覆材１７で被覆したものであり、光ファイバ１５ａを補強するテンションメンバ１９も被覆材１７に埋め込まれている。なお、被覆材１７には、吊線１８で架設し易くするために、吊線１８と光ファイバ１５ａの被覆部位間にネック部１７ａが設けられるとともに、光ケーブル１５を分岐し易くするために、光ファイバ１５ａの被覆部位中央部に切込み部１７ｂが設けられている。
【００１３】
前記光ケーブル１５は、地下街の天井に吊線１８で架設され、その一部が、図２（ｂ）に例示するように、２本のものが３０ｃｍ以上の間隔で平行に架設されて、その吊線１８が前記整合器４に接続されており、ＡＭ放送用の電波を地下街に発信する誘導ケーブル５として使用されるようになっている。したがって、地下街用ＡＭ放送再送信システムを余分な施工コストを節約して安価に構築することができる。なお、図２（ｂ）に示した例は、一方の光ケーブル１５が光ファイバ１５ａの本数が少ない分岐ケーブルとなっている。
【００１４】
上述した実施形態では、光ケーブルを、被覆材に吊線と光ファイバの被覆部位間でネック部が設けられたものとしたが、光ケーブルは導電性の吊線を有するものであればよく、被覆材にネック部がないものでもよい。
【００１５】
また、上述した実施形態では、地上ディジタル放送とＦＭ放送用の光ケーブルの吊線をＡＭ放送用の誘導ケーブルとして使用するようにしたが、インターネット用等の他の光ケーブルの吊線を誘導ケーブルとして使用することもできる。
【図面の簡単な説明】
【００１６】
【図１】地下街用ＡＭ放送再送信システムの実施形態を示す系統図
【図２】ａは図１の光ケーブルを示す断面図、ｂはａの光ケーブルを地下街の天井に架設した状態を示す斜視図
【符号の説明】
【００１７】
１  受信アンテナ
２  同軸ケーブル
３  再送信装置
４  整合器
５  誘導ケーブル
６  終端抵抗器
１１ａ、１１ｂ  受信アンテナ
１２  同軸ケーブル
１３ａ、１３ｂ  再送信装置
１４  光変調装置
１５  光ケーブル
１５ａ  光ファイバ
１６ａ、１６ｂ  アンテナ
１７  被覆材
１７ａ  ネック部
１７ｂ  切込み部
１８  吊線
１９  テンションメンバ
【図１】
0004966230.tif 000002
【図２】
0004966230.tif 000003